(57)【特許請求の範囲】
【請求項１】
座標指示体と、
押下操作されるキーボードと、
前記キーボードにおけるキー押下操作を検出するキー操作検出手段と、
前記キーボードに近接配置され、前記座標指示体により操作される操作面を有し、
前記操作面上のタップ操作またはスライド操作の操作状態を検出する操作状態検出手段と、
前記キー押下操作及び前記操作状態の検出結果に応じた画面の処理を行い、前記キー押下操作が検出されている間、前記操作状態に基づく画面の処理を制御する制御手段と、
前記操作状態検出手段からの操作情報をタップ情報とスライド情報とに解析するデータ解析手段と、前記タップ情報とスライド情報とを前記制御手段に伝達し、また前記タップ情報を有効化または無効化状態にするモード変換手段と、前記キー押下操作が検出されてから所定時間を計測する計測手段と、
を具備し、
前記モード変換手段は、前記計測手段が前記所定時間を計測している期間中は前記タップ情報を無効化し、該期間中以外は前記タップ情報を有効化して操作状態信号を出力することを特徴とする座標入力装置。
【請求項２】
前記制御手段は、前記キー操作が検出された時点で前記画面の処理の抑止処理を開始させるとともに、前記キー押下操作が検出されなくなった時点から前記所定時間が経過した後に該抑止処理を終了させることを特徴とする請求項１記載の座標入力装置。
【請求項３】
前記所定時間を外部からの設定によって可変させることを特徴とする請求項２記載の座標入力装置。
【請求項４】
座標指示体と、
押下操作されるキーボードと、
前記キーボードにおけるキー押下操作を検出するキー操作検出手段と、
前記キーボードに近接配置され、前記座標指示体により操作される操作面を有し、
前記操作面上のタップ操作またはスライド操作の操作状態を検出する操作状態検出手段と、
前記キー押下操作及び前記操作状態の検出結果に応じた画面の処理を行う制御手段とを少なくとも備え、前記操作面及び前記キーボードを操作することにより前記画面の処理を行う座標入力装置の制御方法において、
前記操作状態検出手段からの操作情報によりタップ情報とスライド情報とを検出する第１のステップと、
前記キー押下操作が検出されてから所定時間を計測している期間中は、前記操作状態検出手段が検出する前記タップ情報を前記制御手段に伝達する際に前記タップ情報を無効化して、前記キー操作検出手段が前記キー押下操作を検出した時点から、前記操作面上の操作状態に基づく前記画面の処理を制御する第２のステップと、
前記期間中以外は前記情報を前記画面表示手段に伝達する際に前記タップ情報及びスライド情報を有効化することにより、前記キー押下操作が前記所定時間行われていない場合に、前記操作面上の操作状態の検出結果に基づいた前記画面の処理を再開させる第３のステップと
を含むことを特徴とする座標入力装置の制御方法。
【発明の詳細な説明】
【０００１】
【発明の属する技術分野】
本発明は、カーソルやウィンドウなどを画面上で操作するのに用いられる座標入力装置およびその制御方法に関するものである。
【０００２】
【従来の技術】
従来より、コンピュータに接続されるポインティングデバイスとしてマウスやトラックボールなどが一般的に用いられている。これに加え、最近になって、パッド，タッチパッド，トラックパッドなどの名称で呼ばれるポインティングデバイスも用いられるようになってきている。
【０００３】
これらパッドは、携帯型のパーソナルコンピュータ（所謂ノート型のパーソナルコンピュータ）に組み込まれたり、従来からのキーボードに埋め込まれたり、さらには、デスクトップ型のコンピュータに外付けされた形態で使用される。しかも、パッドは、マウスのように機器自体を移動させる必要がないことから、卓上などの限られたスペースであっても支障なく操作できるという特徴を有している。
【０００４】
パッドを用いて、コンピュータの画面上でカーソル（或いはポインタとも呼ばれる）を移動させるには、パッドに設けられた数センチ角の平板な操作面に指を置き、そのまま指を滑らせるだけで良い。また、パッドにはマウスなどと同様に左ボタンと右ボタンが設けられているが、これに加えて、操作面を指で軽く叩くことで、左ボタンをクリックしたのと同様に、画面に表示されたアイコン（アプリケーションプログラムの機能を絵柄などでシンボル化したもの）やウィンドウ（即ち、ディスプレイ装置上に表示される複数の独立した画面）などの物体の選択，移動など様々な操作が実現できる。
【０００５】
そして、こうした操作を、特に「タップ」或いは「タッピング」と呼んでいる。パッドでは、このタップの機能によって、上述した左ボタンクリックの他に、左ボタンのクリックを２回連続して行う左ボタンダブルクリック（アプリケーションプログラムの起動などに用いる），画面上に配置されたアイコンやウィンドウ等の物体をある場所から所望の場所へ移動させるドラッグといった操作が指一本で可能になる。
【０００６】
【発明が解決しようとする課題】
ところで、パッドを既存のキーボードに組み込む形態では、カーソル移動キー（アローキー）の手前側などに操作面が配置される。また、パッドをノート型のパーソナルコンピュータに組み込む形態では、指の置かれるキーボード手前側のスペースに操作面が配置される。つまり、パッドの操作面とキーボードのキーとがかなり近接して配置されることになるため、ユーザがキー入力している間に誤ってパッドの操作面を指で触れてしまう可能性が大きくなる。
【０００７】
ところが、こうした誤操作はコンピュータによってタップと見なされてしまうため、ユーザの作業上支障を来すことになる。たとえば、ワードプロセッサを起動して文章を日本語で入力している場合に、未だキー入力が終わっていないのにタップの処理が行われてしまうと、かな漢字変換の処理がなされずに文字の入力が確定してしまう。たとえば、「けいさんき」を「計算機」に変換して入力するつもりが、かな文字から漢字への変換がなされずに、かな文字である「けいさんき」がそのまま入力されてしまうことになる。
【０００８】
本発明は、上記の点に鑑みてなされたものであり、キーボードの操作中に誤って操作面に触れてしまった場合にも、ユーザの作業に支障を来すことのない座標入力装置およびその制御方法を提供することを目的としている。
【０００９】
【課題を解決するための手段】
以上の課題を解決するために、請求項１記載の発明は、座標指示体と、押下操作されるキーボードと、前記キーボードにおけるキー押下操作を検出するキー操作検出手段と、前記キーボードに近接配置され、前記座標指示体により操作される操作面を有し、前記操作面上のタップ操作またはスライド操作の操作状態を検出する操作状態検出手段と、前記キー押下操作及び前記操作状態の検出結果に応じた画面の処理を行い、前記キー押下操作が検出されている間、前記操作状態に基づく画面の処理を制御する制御手段と、前記操作状態検出手段からの操作情報をタップ情報とスライド情報とに解析するデータ解析手段と、前記タップ情報とスライド情報とを前記制御手段に伝達し、また前記タップ情報を有効化または無効化状態にするモード変換手段と、前記キー押下操作が検出されてから所定時間を計測する計測手段と、を具備し、前記モード変換手段は、前記計測手段が前記所定時間を計測している期間中は前記タップ情報を無効化し、該期間中以外は前記タップ情報を有効化して操作状態信号を出力することを特徴としている。
【００１０】
また、請求項２記載の発明は、請求項１記載の発明において、前記制御手段は、前記キー操作が検出された時点で前記画面表示の抑止処理を開始させるとともに、前記キー押下操作が検出されなくなった時点から前記所定時間が経過した後に該抑止処理を終了させることを特徴としている。
また、請求項３記載の発明は、請求項２記載の発明において、前記所定時間を外部からの設定によって可変させることを特徴としている。
【００１１】
また、請求項４の発明は、座標指示体と、押下操作されるキーボードと、前記キーボードにおけるキー押下操作を検出するキー操作検出手段と、前記キーボードに近接配置され、前記座標指示体により操作される操作面を有し、前記操作面上のタップ操作またはスライド操作の操作状態を検出する操作状態検出手段と、前記キー押下操作及び前記操作状態の検出結果に応じた画面の処理を行う制御手段とを少なくとも備え、前記操作面及び前記キーボードを操作することにより前記画面の処理を行う座標入力装置の制御方法において、前記操作状態検出手段からの操作情報によりタップ情報とスライド情報とを検出する第１のステップと、前記キー押下操作が検出されてから所定時間を計測している期間中は、前記操作状態検出手段が検出する前記タップ情報を前記制御手段に伝達する際に前記タップ情報を無効化して、前記キー操作検出手段が前記キー押下操作を検出した時点から、前記操作面上の操作状態に基づく前記画面の処理を制御する第２のステップと、前記期間中以外は前記情報を前記画面表示手段に伝達する際に前記タップ情報及びスライド情報を有効化することにより、前記キー押下操作が前記所定時間行われていない場合に、前記操作面上の操作状態の検出結果に基づいた前記画面の処理を再開させる第３のステップとを含むことを特徴としている。
【００１２】
【発明の実施の形態】
以下、図面を参照して本発明の一実施形態について説明する。
図１は同実施形態による座標入力装置の構成を示すブロック図である。同図に示すように、この座標入力装置は大きく分けて座標検出機器ＰＤと座標出力機器ＰＣの２つの機器から構成される。座標検出機器ＰＤは例えば上述したパッドであり、座標出力機器ＰＣは例えばパッドが接続されたパーソナルコンピュータである。
【００１３】
まず初めに、座標検出機器ＰＤの各構成要素を説明するが、その前に座標検出機器ＰＤの機械的構成を簡単に説明しておく。図２は座標検出機器ＰＤの外観を示す平面図であって、左ボタンＬＢ及び右ボタンＲＢはそれぞれマウスの左ボタン及び右ボタンに対応しており、その機能もマウスの各ボタンと同じである。また、符号ＳＦで示される矩形の領域は、座標指示体（図２では図示を省略）により操作される操作面を表わしている。なお、ここで言う座標指示体は例えばユーザの手の指であって、以下の説明では座標指示体が指であるものとする。
【００１４】
さて、図１に示すセンサ基板１は操作面ＳＦの下面に設けられ、複数の横方向走査線（図２のＸ軸方向）と縦方向走査線（図２のＹ軸方向）がマトリクス状に形成されており、指が操作面ＳＦを介してセンサ基板１にに接触することで、各走査線を流れる電流値が変化するように構成される。さらに詳しく言えば、本実施形態による座標検出機器ＰＤは静電容量式のタブレットと呼ばれる方式を採用しており、静電フィルムの表面と裏面にそれぞれマトリックス状の電極が設けられ、静電フィルムの一端からパルスを与えて電界を形成させてある。こうすると、指が操作面ＳＦを介して静電フィルムに触れることで接触部分の静電容量が減り、この静電容量の変化を電流値の変化に変換すれば指の接触部分の位置が検知される。つまり、接触部分の座標位置が横方向走査線と縦方向走査線との交点により指定されることになる。
【００１５】
その一方で、指が接触された後に離されたことを検出すれば、上述したタップの操作が検出できることになる。さらには、接触部分の位置の変化を算出することで、指を操作面ＳＦ上で滑らせる操作も検出することができる。
なお、座標検出機器ＰＤは静電容量式でなくとも良く、例えば感圧式などの方式を採用したものであっても良い。
【００１６】
次に、横方向走査部２は、センサ基板１の横方向の走査を行う回路であって、多数の信号出力がセンサ基板１の横方向走査線に接続される。
縦方向走査部３は、センサ基板１の縦方向の走査を行う回路であって、多数の信号入力がセンサ基板１の縦方向走査線に接続され、指の走査状態を表わすシリアル検出信号を発生させる。
【００１７】
このシリアル検出信号は、指をセンサ基板１の操作面ＳＦにタッピングさせた際に生じるタップ成分と、操作面ＳＦ上で指を滑らせた際に生じるスライド成分を含む。ここで、タップ成分には操作面ＳＦに指が接触している位置を示すアドレス成分が含まれており、スライド成分には操作面ＳＦ上を、指がどの位置からどの位置まで滑ったのかを表わすアドレス成分が含まれている。
【００１８】
制御駆動部４は、走査駆動信号を横方向走査部２及び縦方向走査部３にそれぞれ供給することで、これら横方向走査部２及び縦方向走査部３を駆動する。
Ａ／Ｄ（アナログ／デジタル）変換部５は、縦方向走査部３が生成したシリアル検出信号をデジタル信号に変換する。
タップ／スライド成分抽出部６は、デジタル信号に変換されたシリアル検出信号の中から、上述したタップ成分及びスライド成分を抽出したのち、これらを分離して３次元の座標値へ変換し、これをタップ成分及びスライド成分と一緒に出力する。
【００１９】
データ処理部７は、タップ／スライド成分抽出部６から送られる３次元の座標値に基づいて、タップが実行されたか否かを判断するとともに、スライド成分からノイズを除去し、Ｘ軸／Ｙ軸から構成される操作面ＳＦの２次元座標における指の位置の変化を、滑らかな直線或いは曲線に補正する。
【００２０】
インターフェイス部８は、座標出力機器ＰＣとの間の間でデータの授受を行うための回路である。このインターフェイス部８は、データ処理部７から送られた情報に基づいて、補正された操作面ＳＦの２次元座標上の絶対座標（Ｘ，Ｙ）毎に、タップオン／オフの情報，左ボタンＬＢ及び右ボタンＲＢに関する各ボタンのオン／オフ情報を付加し、タップ成分及びスライド成分と一緒に出力ポート９へ送出する。
【００２１】
次に、座標出力機器ＰＣの各構成要素を説明する。
まず、インターフェイス部１０は座標検出機器ＰＤとの間でデータの授受を行うための回路であって、入力ポート１１を介して上述したそれぞれの情報を受け取る。なお、座標出力機器ＰＣがパーソナルコンピュータであれば、インターフェイス部１０及び入力ポート１１は周知のシリアルポート又はマウスポートに相当する。
【００２２】
データ解析部１２は、座標検出機器ＰＤ側から送られる情報をインターフェイス部１０から取り込み、タップオン／オフ情報やボタンのオン／オフ情報などから、ユーザによる左右のボタンのクリック操作や操作面ＳＦ上でのタップ操作，ドラッグ操作，指を操作面ＳＦ上でスライドさせる操作などを検出し、その検出結果をタップ成分及びスライド成分とともにモード変換部１３へ供給する。
【００２３】
モード変換部１３は、原則として、データ解析部１２から送られる検出結果とタップ成分及びスライド成分を制御部１５にそのまま伝達する。ここで、モード変換部１３は、ユーザが実施したタップ操作をイネーブル／ディセーブル（有効化／無効化）する機能を有しており、タップ操作をイネーブル／ディセーブルの何れの状態にするのかを表わすフラグを保持している。そして、このフラグがタップ操作のディセーブルを示している場合、モード変換部１３は、データ解析部１２がタップ操作を検出したとしても、その結果を無視し、これを制御部１５に伝達しないようにする。
なお、フラグの書き換えは、制御部１５からの指示に従ってモード変換部１３が行う。また、座標出力機器ＰＣの電源が投入された直後あるいはリセット直後においては、タップ操作をイネーブルにするようなフラグの設定がなされる。
【００２４】
計測部１４は、パーソナルコンピュータに内蔵されたタイマーに類似した計時回路であって、制御部１５からの指示があった場合はこのタイマーの値をクリアし、新たに時間計測を開始する。計測部１４は、また、以下に説明するような閾値を格納している。すなわち、本実施形態では、ユーザがキー入力を行うと、モード変換部１３は制御部１５の指示に基づいてタップ操作をディセーブルした状態にするとともに、計測部１４は制御部１５の指示に基づいてタイマーの値をクリアし、新たに時間計測を開始する。こうした状態で所定時間だけキー入力が行われないと、上記の閾値はこの所定時間を指すことになる。また、計測部１４はタイマーの値と閾値とを比較する機能を有しており、タイマーの値が閾値を越えた時点で、この旨を制御部１５に報告する。そこで、制御部１５はモード変換部１３に指示して、自動的にフラグをタップ操作がディセーブルされた状態からイネーブルされた状態に復帰させる。
【００２５】
なお、上述した閾値は標準値として例えば１秒が設定されている。しかしながら、閾値はユーザのタイピング速度に相当程度依存することから、設定ウィンドウなどを用いた周知の処理によって、ユーザが閾値を０．５秒〜３秒程度の範囲内で段階的に調整できるようになっている。そこでユーザは、座標入力装置を実際に使用してみて閾値の設定を行うとともに、タイピングの熟練度が向上するにつれて適宜この閾値を調整するようにする。
【００２６】
制御部１５は、インターフェイス部１０及びデータ解析部１２を除いた座標出力機器ＰＣの各部を統括する回路であり、その機能については動作の説明の際に詳述する。
表示部１６は、例えばパーソナルコンピュータのディスプレイ装置であって、制御部１５の指示に従って、ディスプレイ装置の画面上においてウィンドウやカーソルなど各種の画像表示を行う。
【００２７】
ＲＯＭ（リードオンリーメモリ）１７には制御部１５の動作プログラムなどが格納されている。
ＲＡＭ（ランダムアクセスメモリ）１８は、制御部１５が様々な処理を行う際に、データを一時的に蓄えるための記憶回路である。
キーボード１９は、パーソナルコンピュータに用いられるような一般的なものであって、キーが押下されたことを表わすキーイン信号と押下されたキーの種類を出力する。なお、座標検出機器ＰＤをキーボード１９に組み込んだ形態の一例を図３に示しておく。
【００２８】
次に、上記構成による座標入力装置の動作を説明する。ここで、キー入力中にタップを禁止する機能に関しては、ユーザが機能の有効又は無効を指定できるのであるが、以下では説明を簡単にするため、キー入力中におけるタップ禁止の機能は常に有効化されているとする。また、電源投入時と同じく、モード変換部１３に格納されたフラグはタップをイネーブルにする状態に設定されているものとする。
【００２９】
まずユーザは、予め上述した閾値の設定を行ってその値を計測部１４に格納しておく。なお、閾値が標準の１秒で問題なければ、ユーザは格別この設定を行わなくとも良い。また、この設定処理は画面上に設定用ウィンドウを表示させてユーザが行うなどで実現できるが、こうした処理は良く知られた既存の処理であるため、詳しい説明は割愛する。
【００３０】
次に、図４のフローチャートを参照して具体的な動作を説明する。まず、ステップＳ１において、制御部１５はキーボード１９からキーイン信号とキーの種類をＲＡＭ１８上に取り込む。次いで、ステップＳ２において、制御部１５は取り込んだキーイン信号に基づいてキーボード１９のキーが押下されたか否かを判定する。いま、ユーザがキーインを行っていなければ処理はステップＳ１に戻ることになり、ユーザがキーインするまでの間はステップＳ１とステップＳ２の処理を繰り返す。
【００３１】
ここで、ステップＳ１とステップＳ２の処理を繰り返している間にユーザがキーイン以外の操作を行えば、実施した操作に応じた処理がなされる。いま、ユーザが座標検出機器ＰＤを操作してタップ操作（図５に示すように、ユーザが指Ｆを操作面ＳＦに接触させてすぐに離す操作）を１回だけ行った場合、このタップ操作は座標出力機器ＰＣにおいて無視されることなく処理される。そこで以下、この場合における座標入力装置の動作を説明する。
【００３２】
まず、座標検出機器ＰＤから座標出力機器ＰＣへデータの取り込みを行う。すなわち、図１に示す座標検出機器ＰＤにおいて、制御駆動部４から出力される駆動信号により、横方向走査部２と縦方向走査部３が走査駆動される。そして、センサ基板１の各走査線に走査信号が供給されているときに、ユーザが操作面ＳＦを介してセンサ基板１上の所望の個所を指で操作すると、この指の操作状態に対応したシリアル検出信号が縦方向走査部３から出力される。
【００３３】
このシリアル検出信号は、Ａ／Ｄ変換部５でデジタル信号へ変換され、タップ／スライド成分抽出部６でタップ成分とスライド成分が抽出される。データ処理部７は、タップ成分をそのままインターフェイス部８へ送出するとともに、スライド成分に対してノイズ除去の補正を行ったのちにインターフェイス部８へ送出する。インターフェイス部８は、タップオン／オフの情報とボタンのオン／オフの情報を生成し、これら情報をデータ処理部７から送られたデータに付加して出力ポート９に供給して、これら情報を座標出力機器ＰＣへ送出する。
【００３４】
すると、座標出力機器ＰＣでは、入力ポート１１に供給された情報が、インターフェイス部１０を介してデータ解析部１２に供給される。これをもって、座標出力機器ＰＣにおける座標検出機器ＰＤからのデータ取り込み処理が完了したことになる。そして、上述のようにユーザがタップ操作を１回だけ行った場合、データ解析部１２がタップオン／オフ情報からタップ操作を検出し、これを制御部１５へ報告する。これにより、制御部１５は左ボタンＬＢをクリックした操作に対応する処理（一例として、画面上のアイコンを選択する処理）をエミュレーションする。
以上のように、ユーザがキーボード１９からキー入力をしていない場合には、ユーザが例えばタップ操作を行えば、この操作に応じた処理が座標出力機器ＰＣにて為される。
【００３５】
一方、ユーザがキーボード１９からキー入力を開始すると、制御部１５がこれをキーイン信号に基づいて検出して、処理はステップＳ２からステップＳ３に進む。そして、制御部１５はモード変換部１３に指示を出して、タップ操作をディセーブルするようにフラグの状態を変更する。これにより、以後はユーザがタップ操作を行うことによってデータ解析部１２からタップの検出が報告されても、モード変換部１３はこの検出結果を無視して制御部１５に伝達しないようにする。したがって、たとえキー入力中に指Ｆが操作面ＳＦに触れても、座標出力機器ＰＣ側ではタップ操作に対応する処理が実行されることはない。
【００３６】
そして、ステップＳ３の処理が終わるとステップＳ４に進み、制御部１５は計測部１４に指示を出して計測部１４に内蔵されたタイマーをクリアさせ、次いで、タイマーのクリア時点から、ユーザが設定した閾値の時間が経過したかどうかを判定させる。すなわち、計測部１４はステップＳ５においてタイマーの値を取り込み、続くステップＳ６において、タイマーの値が閾値を越えているかどうかを調べる。
【００３７】
ところが、この時点ではタイマーをクリアしたばかりであってタイマーの値は未だ閾値を越えていない。そこで、ステップＳ７に進み、制御部１５は、ステップＳ１と同様の手順に従ってキーボード１９の状態を読み込み、ステップＳ８では、ステップＳ２と同様の手順でキーが押されているかどうかを判定する。
いま、ユーザがキーボード１９からキー入力を継続的に行っていれば、ステップＳ８における判定結果は「Ｙｅｓ」となる。そこで、処理はステップＳ４に戻り、これ以後はステップＳ４〜ステップＳ８の処理を上記と同様に繰り返す。
【００３８】
このように、ユーザがキー入力を継続している間は、キーが押下される度にステップＳ４でタイマーがクリアされるために、ステップＳ６の判定結果が「Ｙｅｓ」となることはなく、タップ機能はディセーブルされたままの状態となる。したがって、ユーザがキー入力をしている間はタップ操作を禁止する機能が実現されることになる。
【００３９】
他方、ユーザがキーボード１９からのキー入力を止めると、ステップＳ８における判定結果は「Ｎｏ」となる。これにより、以後はステップＳ５〜ステップＳ８の処理が繰り返しなされるようになり、時間の経過につれてタイマーの値が次第に増加してゆき、遂には設定された閾値に達する。すると、ステップＳ６の判定結果が「Ｙｅｓ」となり、処理はステップＳ９に進み、制御部１５はモード変換部１３に指示を出してタップ操作をイネーブルするようにフラグの状態を変更する。そのため、これ以後はユーザがタップ操作を行うと、タップの検出結果がモード変換部１３から制御部１５に報告されるようになり、タップ操作に対応する処理が座標出力機器ＰＣ側で為されるようになる。
【００４０】
以上のように、ユーザがキー入力を止めてから一定時間が経過することで、タップ操作がディセーブル状態から自動的にイネーブル状態に切り替わる。そのため、キー入力中における座標検出機器ＰＤの誤操作を防止しつつ、キー入力が終了して一定時間が経過すれば自動的にパッドを操作できる状態に戻るため、パッドの操作性を損なうこともないという利点がある。
【００４２】
【発明の効果】
以上説明したように、本発明によれば、キーボードにおけるキー操作が検出されている間は、キーボードに近接して設けられた操作面の操作状態に対応して為される画面操作を抑止するようにしたので、キーボードを操作中にユーザが誤って指などの座標指示体でパッドの操作面に触れてしまっても、ユーザの作業に支障を来すことのない座標入力装置を構成できるという効果が得られる。
【００４３】
また、請求項２記載の発明によれば、キー操作が検出された時点から操作面上の操作状態に対応した画面操作を抑止するとともに、その後、キー操作が検出されなくなってから所定時間を経過した後に、この画面操作を再開させるようにしたので、ユーザがキー操作を止めれば自動的に操作面を用いた操作が可能となって、この抑止処理をユーザに意識させることなく、キー操作中における操作面の誤操作を防止できるという効果が得られる。
【００４４】
また、請求項３記載の発明によれば、キー操作を止めてから操作面上の操作が可能になるまでの時間を外部から可変できるようにしたので、ユーザは装置を実際に使用してみて最も使いやすいようにこの所定時間を設定できると共に、ユーザのタイピングの熟練度が向上した場合には、適宜、この所定時間を調整してゆくことができるという効果が得られる。
【図面の簡単な説明】
【図１】本発明の一実施形態による座標入力装置の構成を示すブロック図である。
【図２】同実施形態による座標検出機器ＰＤの外観を示す平面図である。
【図３】同実施形態による座標出力機器ＰＣにおいて、パッドをキーボード１９に組み込んだ形態の平面図である。
【図４】同実施形態による座標入力装置の動作を説明するためのフローチャートである。
【図５】同装置を用いてユーザがタップ操作を行う場合の操作手順を説明する図である。
【符号の説明】
１…センサ基板、２…横方向走査部、３…縦方向走査部、４…制御駆動部、５…Ａ／Ｄ変換部、６…タップ／スライド成分抽出部、７…データ処理部、８，１０…インターフェイス部、９…出力ポート、１１…入力ポート、１２…データ解析部、１３…モード変換部、１４…計測部、１５…制御部、１６…表示部、１７…ＲＯＭ、１８…ＲＡＭ、１９…キーボード、Ｆ…指、ＬＢ…左ボタン、ＰＣ…座標出力機器、ＰＤ…座標検出機器、ＲＢ…右ボタン、ＳＦ…操作面
【図１】
0003588201.tif 000002
【図２】
0003588201.tif 000003
【図３】
0003588201.tif 000004
【図４】
0003588201.tif 000005
【図５】
0003588201.tif 000006